(57)【要約】      （修正有）【課題】花かご、花束、花輪（リース）などに刺して使用する装飾品であって、季節や行事にかかわらず使用することができ、手入れの手間がかからず半永久的に美しさが保持され、金銭的な負担が少なく華やかさを演出することのできる装飾品を提供する。【解決手段】装飾品１は、糸２を多重に束ねた糸束３の先端を刈込んで形成した動物の頭部８に目１１と耳１２と手足１３を設け、頭部に棒体２０の先端部を差し込み固定した固着部を形成した。【選択図】図１
0003216158.tif 000002
【実用新案登録請求の範囲】
【請求項１】
糸を多重に束ねた糸束の先端を刈込んで形成した動物の頭部に目と耳と手足を設け、頭部に棒体の先端部を差し込み固定した固着部を形成したことを特徴とする装飾品。
【請求項２】
糸束の中央部は、糸状物で括った芯部を設けた請求項１記載の装飾品。
【請求項３】
棒体の先端部は、芯部に接合した接合部を設けた請求項１または請求項２に記載の装飾品。
【請求項４】
接合部は粘着体を備えた請求項３記載の装飾品。
【請求項５】
糸状物は、糸または／およびワイヤーである請求項２ないし請求項４のいずれかに記載の装飾品。
【考案の詳細な説明】
【技術分野】
【０００１】
本考案は、花かご、花束、花輪（リース）などに刺して使用する装飾品に関するものである。
【背景技術】
【０００２】
近年、生活の中の祝い事などの行事において、花を贈る習慣が定着している。
【０００３】
花は、送られた人の好みや行事の目的に合った種類や色が選定されてアレンジが加えられ、花籠、花束や、花輪（リース）等に整えられ、リボンや行事のシンボルの飾りが添えられて、一層の華やかさを演出する。
【０００４】
一方、花は生ものであるため、特に切り花は、一定の期間が過ぎるとその美しさが損なわれ、処分することとなる。また、美しい状態を保つためには水替えや花瓶等の手入れが必要となる。
【０００５】
さらに、花の価格は季節や天候に左右され、ある程度の華やかさを演出するためには金銭的な負担が必要となる。
【０００６】
下記特許文献１には、図１７、図１８に示すように、装飾品の１つの事例として、茎部５３の上端に花部５２が設けられた造花５１であって、前記花部５２は、周方向に複数の花弁５６が形成され、中央の位置を合わせて重ねられた複数の花シート６０と、上部開口を有する壺状の花托部５４とを備え、前記複数の花シート６０は、その中央部が前記花托部５４の上部開口から押し込まれた状態で前記花托部５４に保持され、前記複数の花シート６０の複数の花弁５６からなる花冠５５は、ハート型に裁断加工がなされている造花５１及びその作製方法が開示されている。
【０００７】
特許文献１の発明により、一輪の花であっても独創的で高い意匠性を有する造花５１を提供することができる。
【先行技術文献】
【特許文献】
【０００８】
【特許文献１】特開２０１１−０６３９２０号公報（造花及びその作製方法）
【考案の概要】
【考案が解決しようとする課題】
【０００９】
しかしながら、特許文献１の発明は、ハート型に裁断加工がなされている造花５１であり、種々の形状の花を提供することはできない。また、使用する用途により、特許文献１の発明による花の種類が使用できない場面もある。
【００１０】
本考案の目的は前記従来例の不都合を解消し、花かご、花束、花輪（リース）などに刺して使用する装飾品であって、季節や行事にかかわらず使用することができ、手入れの手間がかからず半永久的にその美しさが保持され、金銭的な負担が少なく華やかさを演出することのできる装飾品を提供することにある。
【課題を解決するための手段】
【００１１】
本考案者は、上記課題を解決する為に鋭意努力した結果、本考案を完成した。すなわち、本考案の要旨は、次のとおりである。
【００１２】
請求項１記載の本考案は、糸を多重に束ねた糸束の先端を刈込んで形成した動物の頭部に目と耳と手足を設け、頭部に棒体の先端部を差し込み固定した固着部を形成したことを要旨とするものである。
【００１３】
請求項１記載の本考案によれば、糸を多重に束ねた糸束の先端を刈込むことにより多種類の動物の頭部を形成することができる。この頭部に目と耳と手足を設けることにより、愛らしい表情を表現することができる。この頭部に棒体の先端部を差し込み固定した固着部を形成することにより、愛らしい動物の頭部を棒体と安定的に接合して、花かご、花束、花輪（リース）などに刺して使用する装飾品とすることができる。
【００１４】
糸束にする糸は、毛糸の太さで言えば、超極細、極細、合細、中細、合太、並太、極太、超極太など、毛糸の材質で言えば、レーヨン、ナイロン、ポリエステル、ファー、ラメ、綿、和紙、ファンシー、毛糸、シルク、アクリル、麻、モヘア・モヘヤ、アルパカ、毛、カシミヤ、レース糸、竹、アンゴラ、キャメルなど、多種多様あり、種類を変えることで、頭部の表情を変えることができ、多種多様の目的に合わせた装飾品とすることができる。
【００１５】
請求項２記載の本考案は、糸束の中央部は、糸状物で括った芯部を設けたことを要旨とするものである。
【００１６】
請求項２記載の本考案によれば、糸束の中央部を糸状物で括って芯部を設けることにより、糸束からなる頭部に差し込む棒体を安定的に固定することができる。
【００１７】
請求項３記載の本考案は、棒体の先端部は、芯部に接合した接合部を設けたことを要旨とするものである。
【００１８】
請求項３記載の本考案によれば、棒体の先端部と芯部を接合部で安定的に固着することができる。
【００１９】
請求項４記載の本考案は、接合部は粘着体を備えたことを要旨とするものである。
【００２０】
請求項４記載の本考案によれば、接合部に粘着体で安定的に半永久的に接合でき、花かご、花束、花輪（リース）などに刺して使用する装飾品とすることができる。
【００２１】
請求項５記載の本考案は、糸状物は、糸または／およびワイヤーであることを要旨とするものである。
【００２２】
請求項５記載の本考案によれば、糸束の中央部を括って芯部とする糸状物は糸やワイヤーを用いることができ、採用する糸状物は、糸束にする糸により選択することができ、また、糸状物の選択により芯部の強度が異なり、棒体を固着する接合部の強度を変化することができる。
【考案の効果】
【００２３】
以上述べたように本考案の装飾品によれば、季節や行事にかかわらず使用することができ、手入れの手間がかからず半永久的にその美しさが保持され、金銭的な負担が少なく、花かご、花束、花輪（リース）などに刺して華やかさを演出することができる。
【図面の簡単な説明】
【００２４】
【図１】本考案の装飾品の第１実施形態を示す正面図である。
【図２】本考案の装飾品の第１実施形態を示す背面図である。
【図３】本考案の装飾品の第１実施形態の頭部（棒体を省略）を示す部分拡大正面図である。
【図４】本考案の装飾品の第１実施形態の頭部（棒体を省略）を示す部分拡大背面図である。
【図５】本考案の装飾品の第２実施形態の頭部（棒体を省略）を示す部分拡大正面図である。
【図６】本考案の装飾品の第２実施形態の頭部（棒体を省略）を示す部分拡大背面図である。
【図７】本考案の装飾品の第３実施形態の頭部（棒体を省略）を示す部分拡大正面図である。
【図８】本考案の装飾品の第３実施形態の頭部（棒体を省略）を示す部分拡大背面図である。
【図９】本考案の装飾品の頭部の制作工程の第１工程を示す斜視図である。
【図１０】本考案の装飾品の頭部の制作工程の第２工程を示す斜視図である。
【図１１】本考案の装飾品の頭部の制作工程の第３工程の第１の例を示す正面図である。
【図１２】本考案の装飾品の頭部の制作工程の第３工程の第２の例を示す正面図である。
【図１３】本考案の装飾品の頭部の制作工程の第４工程を示す正面図である。
【図１４】本考案の装飾品の頭部の制作工程の第５工程を示す正面図である。
【図１５】本考案の装飾品の頭部の制作工程の第６工程の第１の例を示す正面図である。
【図１６】本考案の装飾品の頭部の制作工程の第６工程の第２の例を示す正面図である。
【図１７】従来例を示す斜視図である。
【図１８】従来例を示す側面図である。
【考案を実施するための形態】
【００２５】
以下図面について本考案の装飾品１の実施の形態を詳細に説明する。本考案の装飾品１は、花かご、花束、花輪（リース）等に刺して使用するものである。図１は本考案の装飾品１の第１実施形態を示す正面図、図２は本考案の装飾品１の第１実施形態を示す背面図であり、本考案は、頭部８とそれを差し込んで固定する棒体２０からなる。
【００２６】
図３は本考案の装飾品１の第１実施形態の頭部８を示す部分拡大正面図、図４は本考案の装飾品１の第１実施形態の頭部８を示す部分拡大背面図、図５は本考案の装飾品１の第２実施形態の頭部８を示す部分拡大正面図、図６は本考案の装飾品１の第２実施形態の頭部８を示す部分拡大背面図、図７は本考案の装飾品１の第３実施形態の頭部８を示す部分拡大正面図、図８は本考案の装飾品１の第３実施形態の頭部８を示す部分拡大背面図である。棒体２０は省略した。
【００２７】
図９は本考案の装飾品１の頭部８の制作工程の第１工程を示す斜視図、図１０は本考案の装飾品１の頭部８の制作工程の第２工程を示す斜視図、図１１は本考案の装飾品１の頭部８の制作工程の第３工程の第１の例を示す正面図、図１２は本考案の装飾品１の頭部８の制作工程の第３工程の第２の例を示す正面図、図１３は本考案の装飾品１の頭部８の制作工程の第４工程を示す正面図、図１４は本考案の装飾品１の頭部８の制作工程の第５工程を示す正面図、図１５は本考案の装飾品１の頭部８の制作工程の第６工程の第１の例を示す正面図、図１６は本考案の装飾品１の頭部８の制作工程の第６工程の第２の例を示す正面図である。
【００２８】
図１から図８に示すとおり、頭部８は、糸２を多重に束ねた糸束３の先端４を、動物の頭部を模して刈込んで形成したものである。
【００２９】
図９に示すとおり、糸束３は、任意の長さの糸２を多重に重ねて束ねたものであり、図１０、図１１に示すとおり、糸状物６で糸束３を構成する糸２の中央部５をしっかりと縛り、固く結び束ね、芯部７を形成する。
【００３０】
糸束３にする糸２は、多種多様のものを使用することができる。例えば、毛糸の太さで言えば、超極細、極細、合細、中細、合太、並太、極太、超極太など、毛糸の材質で言えば、レーヨン、ナイロン、ポリエステル、ファー、ラメ、綿、和紙、ファンシー、毛糸、シルク、アクリル、麻、モヘア・モヘヤ、アルパカ、毛、カシミヤ、レース糸、竹、アンゴラ、キャメルなど、が挙げられる。また、糸２は染色したものを単色で、または、複数の色を使用して頭部８を表現してもよい。
【００３１】
図１０に示す糸状物６は、糸束３の中央部５を束ねるために使用するものであればよく、特に限定はない。例えば、糸束３にする糸２と同一のものでもよく、しっかりとした束に括るために金物のワイヤーを使用してもよい。
【００３２】
図１１に示すとおり、前記のように糸２を多重に重ねて束ねた糸束３を、中心部５から放射状に広がるように、転がして球状に整える。
【００３３】
図１２のような位置にして下部から中心部５に突き当たるように棒体２０を固着してもよいが、中心部５の深部７を棒体２０が貫通して抜けてしまう可能性もあるため、図１１の位置にして図１４のように棒体２０を固着する方が安定して頭部８棒体２０を接合することができる。
【００３４】
図１３に示す球状に整えた糸束３に、図１４に示すように棒体２０を固着して、図１５に示すように任意の動物の頭部を模して、糸束３の先端４をはさみ等で刈込み整えて、動物の頭部の形状を形成する。例えば、クマやイヌは略球状に、ウサギは頭部上部９をすぼめ頭部下部１０を大きめに刈込んだ略洋梨形状に、目１１の部分は窪みをあらわすために刈込んでもよい。
【００３５】
図１６に示すとおり、棒体２０を頭部８に固着する前に、糸束３の先端４をはさみ等で刈込み整えて、動物の頭部８の形状を形成してもよい。
【００３６】
図３から図８に示すとおり、本実施形態第１から第３では、クマ、ウサギ、イヌの頭部８としたが、ネコや、コトリ等、動物の種類には限定はない。
【００３７】
頭部８に、該当する動物を表現する目１１、耳１２、手足１３や鼻１４を設ける。
【００３８】
目１１は、頭部８にバランスよく固着する。目１１の素材の限定はなく、例えば、つやのある黒い球体やビーズを接着剤や、糸で固着して設けてもよい。
【００３９】
耳１２は、頭部上部９の左右にバランスよく固着する。耳１２の素材の限定はなく、例えば、該当する動物を愛らしく表現できるフエルトや、糸を編んだり輪状にして耳型に整えたものを接着剤や、糸で固着して設けてもよい。
【００４０】
手足１３は、頭部下部１０の左右にバランスよく固着する。手足１３の素材の限定はない。例えば、頭部８と同様に、糸２を多重に重ねて束ねた糸束３を、中心部５から放射状に広がるように、転がして球状に整えたものを手足１３として設けてもよい。
【００４１】
鼻１４は任意に設けてもよく、黒い球体を接着剤で固着したり、糸を縫い止めて設けてもよい。
【００４２】
頭部８には、目１１、耳１２、手足１３、鼻１４のほかに、リボン１５などの飾りを設けてもよい。リボン１５は頭部下部１０に接着剤で固着しても、棒体２０と頭部８の境目に結び留めてリボン接合部１６を設けてもよい。
【００４３】
図１４に示すとおり、頭部８には、棒体２０の先端部２１を差し込み固定して固着部２３を形成した。
【００４４】
具体的には、糸２を多重に束ねた糸束３の中央部５を糸状物６で括った芯部７に、棒体２０の先端部２１が突き当たるまで差し込み、差し込んだ部分を接合部２４とした。
【００４５】
接合部２４とその周辺の棒体２０に粘着体２５を設け、頭部８と棒体２０を固着する固着部２３とした。
【００４６】
粘着体２５は、接着剤や強力な両面テープでもよい。
【００４７】
使用法は、棒体２０の端部２２を花かご、花束、花輪（リース）等に刺し、花や葉物と共にバランスよく飾りつける。
【００４８】
棒体２０は、取り合わせる花等や、使用する花器に合わせて切り整えてもよい。
【００４９】
糸２を多重に束ねた糸束３の先端を刈込むことにより、多種類の動物の頭部８を形成することができる。
【００５０】
頭部８に目１１と耳１２と手足１３等を設けることにより、愛らしい表情を表現することができる。
【００５１】
頭部８に棒体２０の先端部２１を差し込み固定した固着部２３を形成することにより、愛らしい動物の頭部８を棒体２０と安定的に接合して、花かご、花束、花輪（リース）などに刺して使用する装飾品１とすることができる。
【００５２】
糸束３にする糸２は、毛糸の太さや材質、色彩や種類を変えることで、頭部８の表情を変えることができ、多種多様の目的に合わせた装飾品１とすることができる。
【００５３】
糸束３の中央部５を糸状物６で括って芯部７を設けることにより、糸束３からなる頭部８に差し込む棒体２０が芯部７を突き抜けることなく安定的に固定することができる。
【００５４】
棒体２０の先端部２１と芯部７を接合部２４で粘着体２５で安定的に接合でき、花かご、花束、花輪（リース）などに刺して使用する装飾品１とすることができる。
【００５５】
糸束３の中央部５を括って芯部７を構成する糸状物６は、糸やワイヤーを用いることができ、採用する糸状物６は、糸束３にする糸２の種類により選択してもよく、糸状物６の選択により芯部７の強度が異なり、棒体２０を固着する接合部２４の強度を変化することができる。
【産業上の利用可能性】
【００５６】
本考案の装飾品によれば、季節や行事にかかわらず使用することができ、手入れの手間がかからず半永久的にその美しさが保持され、金銭的な負担が少なく、花かご、花束、花輪（リース）などに刺して華やかさを演出することができる。
【符号の説明】
【００５７】
１    装飾品
２    糸
３    糸束
４    糸束の先端
５    中央部
６    糸状物
７    芯部
８    頭部
９    頭部上部
１０  頭部下部
１１  目
１２  耳
１３  手足
１４  鼻
１５  リボン
１６  リボン接合部
２０  棒体
２１  棒体の先端部
２２  棒体の端部
２３  固着部
２４  接合部
２５  粘着体
５１  造花
５２  花部
５３  茎部
５４  花托部
５５  花冠
５６  花弁
５７  枝茎
５８  葉
６０  花シート
６１  連結部
６２  第一花弁部材
６３  第二花弁部材
６５  フレーム
【図１】
0003216158.tif 000003
【図２】
0003216158.tif 000004
【図３】
0003216158.tif 000005
【図４】
0003216158.tif 000006
【図５】
0003216158.tif 000007
【図６】
0003216158.tif 000008
【図７】
0003216158.tif 000009
【図８】
0003216158.tif 000010
【図９】
0003216158.tif 000011
【図１０】
0003216158.tif 000012
【図１１】
0003216158.tif 000013
【図１２】
0003216158.tif 000014
【図１３】
0003216158.tif 000015
【図１４】
0003216158.tif 000016
【図１５】
0003216158.tif 000017
【図１６】
0003216158.tif 000018
【図１７】
0003216158.tif 000019
【図１８】
0003216158.tif 000020